(57)【特許請求の範囲】
【請求項１】
上側に配置された熱可塑性樹脂からなる床シートと下側に配置された排水トラップとをシート状の接合部材を介して接合した住宅用フロアパネルであって、
前記接合部材は、金属シートの両面にホットメルトフィルムが設けられており、前記金属シートの上面に配置されたホットメルトフィルムは床シートに接合され、下面に配置されたホットメルトフィルムは排水トラップに接合され、
前記排水トラップは、前記床シートの面方向に沿って延在する環状のフランジ部と、該フランジ部の内周端から屈曲して下方に延びる縦壁部と、を備え、
前記床シートは、開口を有し、該開口の内周端と、前記排水トラップのフランジ部の内周端とを径方向で同等の位置に配置し、
前記排水トラップのフランジ部と前記床シートとの間に前記接合部材が載置されると共に、この接合部材の内周端は、前記床シートの開口の内周端および排水トラップの縦壁部の内周端よりも外周側に所定間隔をおいて配置されており、
前記床シートにおける開口側の端部の下部は、下面が凹状に湾曲した断面三角形状に形成され、
前記排水トラップのフランジ部における内周側の角部は、前記床シートの開口側の端部の下部形状に沿うように凸状に湾曲して形成され、
これら床シートにおける開口側の端部の下部と排水トラップのフランジ部における内周側の角部とは密着していることを特徴とする住宅用フロアパネル。
【請求項２】
熱可塑性樹脂からなる床シートを上側に配置し、熱可塑性樹脂からなる排水トラップを前記床シートの下側に配置し、金属シートの両面にホットメルトフィルムが設けられた接合部材を前記床シートと排水トラップとの間に配置する第１工程と、
前記接合部材に電磁誘導加熱を施し、前記金属シートを加熱させる第２工程と、
前記金属シートの熱でホットメルトフィルムを溶融させたのち硬化させることによって、前記床シートと排水トラップとを接合部材を介して接合する第３工程と、を含み、
前記排水トラップは、前記床シートの面方向に沿って延在する環状のフランジ部と、該フランジ部の内周端から屈曲して下方に延びる縦壁部と、を備え、
前記床シートは、開口を有し、該開口の内周端と、前記排水トラップのフランジ部の内周端とを径方向で同等の位置に配置し、
前記排水トラップのフランジ部と前記床シートとの間に前記接合部材が配置されると共に、この接合部材の内周端は、前記床シートの開口の内周端および排水トラップの縦壁部の内周端よりも外周側に所定間隔をおいて配置され、
前記排水トラップのフランジ部における内周側の角部は、凸状に湾曲して形成され、
前記第３工程において、前記床シートの下面を前記金属シートの熱で加熱させることにより、前記床シートにおける開口側の端部の下部は、下方に溶融変形して下面が凹状に湾曲した断面三角形状に形成され、排水トラップのフランジ部における内周側の角部に密着することを特徴とする住宅用フロアパネルの製造方法。
【請求項３】
前記第２工程における電磁誘導加熱は、電磁誘導加熱装置を用いて施されると共に、前記接合部材における所定部位に電磁誘導加熱を施したのち、前記接合部材に対して電磁誘導加熱装置を平行移動させて電磁誘導加熱を施し、その後、平面視で、所定角度分だけ電磁誘導加熱装置を回転させて前記接合部材における別の所定部位に電磁誘導加熱を施したのち、前記接合部材に対して電磁誘導加熱装置を平行移動させて電磁誘導加熱を施すことを特徴とする請求項２に記載の住宅用フロアパネルの製造方法。
【発明の詳細な説明】
【技術分野】
【０００１】
本発明は、住宅用フロアパネルおよびその製造方法に関する。
【背景技術】
【０００２】
従来から、住宅の浴室や洗面所の床面などに敷設する住宅用フロアパネルが公知である（例えば、特許文献１参照）。この特許文献１には、浴室の床面に設けられた排水トラップ構造が開示されている。
【０００３】
具体的には、洗い場部床パンの一部を下方に凹ませて円形の排水口を有する筒状囲壁を形成し、該筒状囲壁の下端部に、円環状の取付部材を介して排水トラップを取り付けている。
【先行技術文献】
【特許文献】
【０００４】
【特許文献１】特開平１０−６８１５６号公報
【発明の概要】
【発明が解決しようとする課題】
【０００５】
しかしながら、前記従来の排水トラップ構造では、前記取付部材は、ビスによって筒状囲壁の下端部に締結されており、取付部材と筒状囲壁の下端部との結合部分にシール剤を充填しているため、取付部材と筒状囲壁の下端部との結合部分の止水性および防水性が必ずしも高くなかった。また、接着剤が劣化するため、耐久性の点でも問題があった。
【０００６】
そこで、本発明は、止水性および防水性が高く、耐久性に優れた住宅用フロアパネルおよびその製造方法を提供することを目的とする。
【課題を解決するための手段】
【０００７】
本発明に係る住宅用フロアパネルは、上側に配置された熱可塑性樹脂からなる床シートと下側に配置された排水トラップとをシート状の接合部材を介して接合した住宅用フロアパネルである。前記接合部材は、金属シートの両面にホットメルトフィルムが設けられており、前記金属シートの上面に配置されたホットメルトフィルムは床シートに接合され、下面に配置されたホットメルトフィルムは排水トラップに接合され、前記排水トラップは、前記床シートの面方向に沿って延在する環状のフランジ部と、該フランジ部の内周端から屈曲して下方に延びる縦壁部と、を備えている。前記床シートは、開口を有し、該開口の内周端と、前記排水トラップのフランジ部の内周端とを径方向で同等の位置に配置し、前記排水トラップのフランジ部と前記床シートとの間に前記接合部材が載置されると共に、この接合部材の内周端は、前記床シートの開口の内周端および排水トラップの縦壁部の内周端よりも外周側に所定間隔をおいて配置されている。前記床シートにおける開口側の端部の下部は、下面が凹状に湾曲した断面三角形状に形成され、前記排水トラップのフランジ部における内周側の角部は、前記床シートの開口側の端部の下部形状に沿うように凸状に湾曲して形成され、これら床シートにおける開口側の端部の下部と排水トラップのフランジ部における内周側の角部とは密着していることを特徴とする。
【発明の効果】
【０００８】
本発明に係る住宅用フロアパネルは、床シートと排水トラップとをシート状の接合部材を介して接合しているため、床シートと排水トラップとの間に隙間が生じにくく、止水性および防水性が向上する。また、電磁誘導加熱を用いて床シートと排水トラップとを接合するため、接合作業が容易で作業時間が短くてすむ。さらに、住宅用フロアパネルの耐久性が向上するメリットもある。
【図面の簡単な説明】
【０００９】
【図１】本発明の実施形態による住宅用フロアパネルを示す斜視図である。
【図２】図１の分解斜視図である。
【図３】図１のＡ−Ａ線による拡大断面図である。
【図４】図３のＢ部を拡大した断面図であり、（ａ）は接合部材を加熱する前の状態を示し、（ｂ）は接合部材を加熱して床シートの開口周縁部が溶融および硬化した後の状態を示している。
【図５】本実施形態による住宅用フロアパネルの製造における第１工程を示す分解斜視図である。
【図６】図５のＣ−Ｃ線による拡大断面図である。
【図７】図５の断面図である。
【図８】図７の要部を拡大した断面図である。
【図９】本実施形態による住宅用フロアパネルの製造における第２，３工程を示す断面図である。
【図１０】電磁誘導加熱装置を上方から見た平面図であり、（ａ）は製造工程初期の第１の位置を示し、（ｂ）は第１の位置から図の下方に向けてスライドさせた第２の位置を示し、（ｃ）は第２の位置から反時計回りに９０°回転させた第３の位置と該第３の位置から図の左方向にスライドさせた第４の位置とを示している。
【図１１】本発明の他の実施形態による住宅用フロアパネルの製造工程を示す断面図である。
【発明を実施するための形態】
【００１０】
以下、本発明の実施形態を図面と共に詳述する。
【００１１】
[住宅用フロアパネルの構造]
図１〜３に示すように、本実施形態による住宅用フロアパネル１は、熱可塑性樹脂からなる床シート３と排水トラップ５とをシート状の接合部材７を介して接合して形成される。この住宅用フロアパネル１は、浴室や洗面所の床面などに広く用いられる。
【００１２】
前記床シート３は、複数の凸形状の滑り止めパターン４や絞模様が表面に形成され、矩形状の開口９を有する。ここで、滑り止めパターン４に代えて絞模様を設けても良い。絞模様としては、皮絞模様、梨地絞模様、布柄絞模様、木目絞模様などを適宜採用することができる。また、前記接合部材７は、平面視でロ字状に形成されている。前記床シート３の材料としては、ポリプロピレン（ＰＰ）、ポリエチレン（ＰＥ）、オレフィン系エラストマー（ＴＰＯ）、ポリスチレン（ＰＳ）、ポリウレタン（ＰＵ）、ポリエステル、アクリル系エラストマー、エチレン酢酸ビニル（ＥＶＡ）、ＥＰＤＭ、ポリ塩化ビニル（ＰＶＣ）などが好ましい。あるいは、これらをベースに充填材や強化材を加えた複合材料なども好ましい。
【００１３】
そして、前記排水トラップ５は、略筒状に形成され、下端部に円形の排水口１１が設けられている。具体的には、図３に示すように、排水トラップ５は、床シート３に略平行に延在すると共に平面視がロ字状に形成されたフランジ部１３と、該フランジ部１３の内周端１３ｂから屈曲して下方（即ち、床シート３から離間する方向）に延びる縦壁部１５と、該縦壁部１５の下端から内周側に向けて床シート３に略平行に延在する横壁部１７と、該横壁部１７の内周端から下方に延びる縦面１９と、該縦面１９の下端から内周側に向けて床シート３に略平行に延在する横面２１とから一体形成されている。前記横面２１の内周端が、前述した円形の排水口１１になっている。
【００１４】
なお、前記排水トラップ５の材質としては、ポリエチレンＰＥ）、ポリエチレンテレフタラート（ＰＥＴ、ＰＥＴＥ）、ポリ塩化ビニル（ＰＶＣ）、ポリ塩化ビニリデン（ＰＶＤＣ）、ポリ乳酸（ＰＬＡ）、ポリプロピレン（ＰＰ）、ポリアミド（ＰＡ）、ポリカーボネート（ＰＣ）、ポリテトラフルオロエチレン（ＰＴＦＥ）、ポリウレタン（ＰＵ）、ポリスチレン（ＰＳ）、ポリエステル、ＡＢＳ樹脂（ＡＢＳ）、アクリル樹脂（ＰＭＭＡ）、ポリアセタール樹脂（ＰＯＭ）などが好ましい。
【００１５】
そして、図４（ｂ）に示すように、前記床シート３の開口９の内周端９ａと、前記排水トラップ５のフランジ部１３の内周端１３ｂとを径方向で略同一位置に配置している。従って、内周端９ａ，１３ｂは、断面形状において上下方向に沿って直線状に形成されている。前記接合部材７は、床シート３の開口９の周縁部の下面３ａと排水トラップ５の前記フランジ部１３の上面１３ａとを接合している。具体的には、接合部材７を構成する上側のホットメルトフィルム２３が床シート３の下面３ａに接合され、下側のホットメルトフィルム２５が排水トラップ５のフランジ部１３の上面１３ａに接合されている。ここで、図４（ｂ）に示すように、床シート３の開口９の内周端９ａの下部２７は、断面略三角形に形成されており、排水トラップ５におけるフランジ部１３と縦壁部１５とが交差する角部２９に密着して形成されている。この密着によって、床シート３と排水トラップ５のフランジ部１３との間に液体が浸入しにくい止水構造（防止構造）を構成している。
【００１６】
[住宅用フロアパネルの製造方法]
次いで、本実施形態による住宅用フロアパネル１の製造方法を説明する。
【００１７】
まず、第１工程として、図５〜図８に示すように、熱可塑性樹脂からなる床シート３と排水トラップ５との間に、金属シート３１の両面にホットメルトフィルム２３，２５が設けられた接合部材７を配設する。
【００１８】
即ち、図５，７に示すように、排水トラップ５のフランジ部１３の上に接合部材７を載置したのち、床シート３の開口９の周縁部の下側に配置した状態で台座３３の上に載置する。また、床シート３の開口９の周縁部の上側には、接合部材７とほぼ同じ形状と大きさの押さえゴム３５を載置し、この押さえゴム３５の上に押さえ板３７を配置する。そして、押さえ板３７の上に電磁誘導加熱装置３９を載置する。
【００１９】
ここで、前記押さえ板３７は、矩形状の平板部３８と、該平板部３８の下側に設けた円盤部４０と、一体形成されている。前記円盤部４０の下面にはピストン４２のロッド４４が取り付けられている。該ロッド４４を下方に移動させることにより、押さえ板３７と台座３３とで、床シート３、接合部材７および排水トラップ５が上下方向（厚さ方向）に挟持される。
【００２０】
なお、図６に示すように、接合部材７は、アルミニウムや鉄等の金属からなる金属シート３１と、該金属シート３１の上面および下面に固着されたホットメルトフィルム２３，２５と、から３層構造に構成されている。
【００２１】
また、前記電磁誘導加熱装置３９は、矩形状の平板からなる本体部４１と、該本体部４１の左右両端部の下面に取り付けられて下方に突出する加熱部４３，４３と、からなる。前記加熱部４３の内部には、螺旋状のコイル４５が収容されている。コイル４５に高周波電流を流すと、コイル４５の周りに磁力線が生じる。この磁力線によって、接合部材７における金属シート３１に渦電流が流れ、ジュール熱によって金属シート３１が加熱される。
【００２２】
また、図４（ａ）に示すように、前記床シート３の開口９の内周端９ａと、前記排水トラップ５のフランジ部１３の内周端１３ｂと、を径方向で略同一位置に配置する。また、図８に示すように、接合部材７の内周端７ａ（図６参照）は、排水トラップ５のフランジ部１３の内周端１３ｂおよび床シート３の開口９の内周端９ａよりも周方向外側に所定間隔Ｄだけオフセット配置されている。なお、オフセット量である前記所定間隔Ｄは、例えば１〜２ｍｍが好ましい。
【００２３】
次に、第２工程では、前記電磁誘導加熱装置３９のコイル４５に高周波電流を流し、コイル４５の周りに磁力線を発生させる。この磁力線によって、接合部材７における金属シート３１に渦電流が流れ、ジュール熱によって金属シート３１が加熱される。
【００２４】
そして、第３工程では、図９に示すように、前記金属シート３１の熱でホットメルトフィルム２３，２５を溶融させたのち硬化させることによって、前記床シート３と排水トラップ５とを接合部材７を介して接合する。また、図４（ｂ）に示すように、床シート３の開口９の内周端９ａの下部２７は、熱によって溶融することで下方に流れ、断面略三角形に形成される。この断面略三角形に形成された下部２７は、排水トラップ５におけるフランジ部１３と縦壁部１５とが交差する角部２９に密着する。
【００２５】
次に、電磁誘導加熱装置３９の動きを図１０を用いて説明する。なお、図１０では、実際にはコイルは隠れているが、説明を明確にするために実線で示す。
【００２６】
図１０（ａ）に示すように、加熱部４３には、長手方向に沿って一定の距離Ｌ０をおいてコイル４５が複数配列されている。そして、この１０（ａ）に示す第１の位置Ｐ１において電磁誘導加熱が施される。
【００２７】
次に、図１０（ｂ）に示すように、電磁誘導加熱装置３９は、第１の位置Ｐ１から図の下方に向けてスライド（平行移動）して第２の位置Ｐ２に移動する。この移動距離Ｌ１は、隣接するコイル同士の距離Ｌ０の１／２である。この第２の位置Ｐ２において、電磁誘導加熱が施される。
【００２８】
さらに、第２の位置Ｐ２から反時計回りに９０°回転させて図１０（ｃ）に示す第３の位置Ｐ３に配置され、この第３の位置Ｐ３において電磁誘導加熱が施される。
【００２９】
そして、最後に、第３の位置Ｐ３から図の左方向に距離Ｌ１だけスライドして第４の位置Ｐ４に配置され、この第４の位置Ｐ４において電磁誘導加熱が施される。
【００３０】
以上より、隣接するコイル４５，４５の間の加熱不足を補い、排水トラップ５のフランジ部１３の全周に亘って均一な加熱を施すことができる。
【００３１】
[他の実施形態]
次いで、本発明の他の実施形態について説明する。
【００３２】
前述した実施形態では、排水トラップ５におけるフランジ部１３の上に床シート３を接合したが、本発明はこれに限定されない。
【００３３】
図１１に示すように、排水トラップ５におけるフランジ部１３の下に接合部材７を配置し、該接合部材７の下に床シート１０３を配置した状態で、電磁誘導加熱を施しても良い。この場合は、床シート１０３における開口の周縁部の上面を下方に凹ませて薄く形成し、この凹ませた凹部１０４に接合部材７と排水トラップ５のフランジ部１３とを配置する。こののち、電磁誘導加熱を施すことによって、排水トラップ５におけるフランジ部１３の下に床シート３の周縁部を接合することができる。
【００３４】
[本実施形態による作用効果]
以下に、本実施形態による作用効果を説明する。
【００３５】
（１）本実施形態による住宅用フロアパネル１は、熱可塑性樹脂からなる床シート３と排水トラップ５とをシート状の接合部材７を介して接合した住宅用フロアパネル１である。前記接合部材７は、金属シート３１の両面にホットメルトフィルム２３，２５が設けられており、前記接合部材７に電磁誘導加熱を施し、前記金属シート３１を加熱させてホットメルトフィルム２３，２５を溶融および硬化させることにより、前記床シート３と排水トラップ５とを接合させている。
【００３６】
このように、本実施形態による住宅用フロアパネル１は、床シート３と排水トラップ５とをシート状の接合部材７を介して接合しているため、床シート３と排水トラップ５との間に隙間が生じにくく、止水性および防水性が向上する。また、電磁誘導加熱を用いて床シート３と排水トラップ５とを接合するため、接合作業が容易で作業時間が短くてすむ。さらに、住宅用フロアパネル１の耐久性が向上するメリットもある。
【００３７】
（２）前記排水トラップ５は、前記床シート３と略平行に延在する環状のフランジ部１３と、該フランジ部１３の内周端１３ｂから屈曲して前記床シート３から下方（床シート３から離間する方向）に延びる縦壁部１５と、を備えている。前記床シート３に開口９を設け、該開口９の内周端９ａと、前記排水トラップ５のフランジ部１３の内周端１３ｂと、を径方向で略同一位置に配置し、前記排水トラップ５のフランジ部１３と前記床シート３との間に前記接合部材７を載置すると共に、この接合部材７の内周端７ａを、前記床シート３の開口９の内周端９ａおよび排水トラップ５のフランジ部１３の内周端１３ｂよりも外周側に所定間隔をおいて配置した状態で電磁誘導加熱を施した。
【００３８】
従って、電磁誘導加熱を施して金属シート３１を加熱させると、熱可塑性樹脂からなる床シート３の開口９の内周端９ａの下部２７が溶融して下方に流れ、排水トラップ５におけるフランジ部１３と縦壁部１５とが交差する角部２９に密着する。この密着によって、床シート３の開口９と排水トラップ５のフランジ部１３との間に液体が浸入しにくくなるため、止水性および防水性がさらに向上する。
【００３９】
（３）本実施形態による住宅用フロアパネル１の製造方法は、熱可塑性樹脂からなる床シート３と排水トラップ５との間に、金属シート３１の両面にホットメルトフィルム２３，２５が設けられた接合部材７を配設する第１工程と、前記接合部材７に電磁誘導加熱を施し、前記金属シート３１を加熱させる第２工程と、前記金属シート３１の熱でホットメルトフィルム２３，２５を溶融させたのち硬化させることによって、前記床シート３と排水トラップ５とを接合部材７を介して接合する第３工程と、を含んでなる。
【００４０】
従って、床シート３と排水トラップ５との間に隙間が生じにくく、止水性および防水性が向上する。また、電磁誘導加熱を用いて床シート３と排水トラップ５とを接合するため、接合作業が容易で作業時間が短くてすむ。さらに、住宅用フロアパネル１の耐久性が向上するメリットもある。
【００４１】
（４）前記第２工程における電磁誘導加熱は、電磁誘導加熱装置３９を用いて施されると共に、前記接合部材７における所定部位に電磁誘導加熱を施したのち、前記接合部材７に対して電磁誘導加熱装置３９を平行移動させて電磁誘導加熱を施し、その後、平面視で、所定角度分（本実施形態では９０°）だけ電磁誘導加熱装置３９を回転させて前記接合部材７における別の所定部位に電磁誘導加熱を施したのち、前記接合部材７に対して電磁誘導加熱装置３９を平行移動させて電磁誘導加熱を施す。
【００４２】
このように、本実施形態では、電磁誘導加熱装置３９が、平行移動と回転移動とを組み合わせた動きをするため、隣接するコイル４５，４５の間の加熱不足を補い、排水トラップ５のフランジ部１３の全周に亘って均一な加熱を施すことができる。
【符号の説明】
【００４３】
１…住宅用フロアパネル
３，１０３…床シート
５…排水トラップ
７…接合部材
７ａ…内周端
１５…縦壁部
２３，２５…ホットメルトフィルム
３１…金属シート
【図１】
0005890127.tif 000002
【図２】
0005890127.tif 000003
【図３】
0005890127.tif 000004
【図４】
0005890127.tif 000005
【図５】
0005890127.tif 000006
【図６】
0005890127.tif 000007
【図７】
0005890127.tif 000008
【図８】
0005890127.tif 000009
【図９】
0005890127.tif 000010
【図１０】
0005890127.tif 000011
【図１１】
0005890127.tif 000012